(57)【要約】【課題】動力によらず、吊りボルトや細径の横桟や枠体等を交わして配線が可能な通線用工具を提供する。【解決手段】一枚の平板状の基板１に相対向して２枚の着脱小板体２、２が設けられ、当該着脱小板体２、２はボギー構造によって支持され、当該ボギー構造状支持体３の中央支点に回転自在に支持した支持棒４が設けられ、前記基板１の裏面に線条体が係止され、前記一方の着脱小板体２が前記基板１に付着した際は他方の着脱小板体２は前記基板１から離れるように支持され、前記一方の着脱小板体２が前記基板１に付着した時は、前記基板１は当該一方の着脱小板体２及び支持棒４によって支持されている。【選択図】      図１
2018102098.tif 000002
【特許請求の範囲】
【請求項１】
一枚の平板状の基板に相対向して２枚の着脱小板体が設けられ、当該２枚の着脱小板体はボギー構造によって支持され、
当該ボギー構造支持体の中央箇所の支点に回転自在に支持した支持棒が設けられ、前記基板の裏面に線条体の一端を係止する係止具が設けられ、
一方の着脱小板体が前記基板に付着した際は他方の着脱小板体は前記基板から離れるように支持され、
前記一方の着脱小板体が前記基板に付着した時は、前記基板は当該一方の着脱小板体及び支持棒によって支持されていることを特徴とする、通線用工具。
【請求項２】
前記基板と各着脱小板体との相対向する接触面には、雄雌の面ファスナーが設けられていることを特徴とする、請求項１に記載の通線用工具。  
【請求項３】
前記基板と各着脱小板体との相対向する接触面には、相互に吸引する磁石が設けられていることを特徴とする、請求項１に記載の通線用工具。
【発明の詳細な説明】
【技術分野】
【０００１】
この発明は、ケーブルラックを支持する吊りボルトや下床に設けた略水平な横桟や格子枠体等を交わして通線又は配線が容易にできる通線用工具に関するものである。
【背景技術】
【０００２】
従来、天井から吊り下げたケーブルラックは、前記天井から吊り下げた吊りボルトの下端をケーブルラックの両側に係止して吊り下げられており、当該吊りボルトはケーブルラックの長手方向に一定の間隔をあけて多数設けられている。この様なケーブルラック上に電線を配線するには、作業者が脚立を用いてケーブルラック上に昇り、そこで作業者が工具を用いて配線していた。
【０００３】
また、下床面の上に水平な横桟や格子枠体が取り付けられている場合があるが、これらの床と格子枠体等の間に電線を通す場合、作業者は当該電線の先端を上から持って、各枠体を交わして電線を配線していた。
【０００４】
特に、天井下に設けたケーブルラックへの配線の場合、作業者が脚立を用いてケーブルラックに昇らなければならず、また、前記ケーブルラック上に足場板を張り、この上を作業者が這いつくばった状態で移動して配線をするため、危険な作業であるとともに準備の手間及び作業の手間の係るものとなっている。また、下床上とその上の水平な格子枠体との間に配線する作業も作業者が水平な格子枠体の上から電線端を持って這いつくばった状態で各枠体を交わして配線しなければならず、極めて手間の係る作業となっている。
【０００５】
そこで、特許文献１のような通線用工具が開発された。これは、電線やケーブルあるいはワイヤーなどの線状部材を保持するための保持体と、保持体を支持するための支持体と、保持体を支持体に対して連結する一対の連結体とが備えられ、これらの保持体、支持体及び一対の連結体によって四角枠を形成し、連結体は、作動手段により、支持体に対して保持体を連結する位置と、支持体と保持体との連結を解除する位置とに位置変更可能とすると共に、一方の連結体が支持体と保持体との連結を解除する位置に位置するときには、少なくとも他方の連結体は支持体に対して保持体を連結する位置に位置するようにした配線用工具であり、前記作動手段に駆動モータを用いたものである。
【０００６】
また、特許文献２のケーブル延線用ガイドロープ引き装置が開発された。これは、長尺な本体と、該本体の長さ方向と直交するように該本体に装着される操作棒と、それぞれの一端側が上記操作棒の長さ方向と平行な軸周りに回動可能に、かつ、上記本体の長さ方向に所定ピッチで上記本体に取り付けられた少なくとも３本のスイングアームと、スイングアーム係止手段と、スイングアーム係止解除手段と、スイングアームの付勢手段と、鍔が上記所定ピッチと同一ピッチで設けられ、該鍔が上記作動位置にある上記少なくとも３本のスイングアームの他端にそれぞれ長さ方向の一側に密接して位置するように装着され、かつ、ガイドロープが長さ方向の他側の端部に取付けられる長尺の案内棒と、上記少なくとも３本のスイングアームのそれぞれが上記作動位置にあるときに該スイングアームと上記案内棒とを係止し、該スイングアームが上記作動位置から上記軸周りに回動する際に該スイングアームと該案内棒との係止を解除する案内棒着脱手段とを備えているものである。
【先行技術文献】
【特許文献】
【０００７】
【特許文献１】特開２００５−１１７７１５号公報
【特許文献２】特許第４１４４７１９号公報
【発明の開示】
【発明が解決しようとする課題】
【０００８】
特許文献１のものでは、支持体を長く伸ばした棒状にし、床面に立った作業者が当該支持体を持って、天井下のケーブルラックの各吊りボルト又は各横桟を交わしながら、電線をケーブルラック上に配線することができる。その際吊りボルト又は横桟箇所に来たら、一方の連結体を開けて四角枠体内に吊りボルト又は横桟を入れ、当該一方の連結体を閉じて、他方の連結体を開けて吊りボルト又は横桟を通過させる。
【０００９】
これらの連結体の開閉は全て作業者が駆動モータを操作して行うため、吊りボルト箇所又は各横桟箇所毎に操作しなければならず、依然として手間の係る作業となっている。
【００１０】
また、特許文献２のものは、動力源が不要な装置であるが、本体に一側を回動自在に夫々設けた３本のスイングアームの先端の案内棒との係止手段が案内棒に対向する開口を有した幅の狭い案内棒着脱係止手段であり、係止が確実かつ強固であるとは言えないものである。
【００１１】
また、３本のスイングアームを夫々回動させ、かつ、吊りボルトが通過したスイングアームは逆回転させて案内棒にそれぞれ順に係止しなければならず、動きが煩雑で、それだけ故障の恐れがある。しかも、本体と案内棒とを縦方向に位置させて使用する場合は、各スイングアームの案内棒着脱係止手段の開口部が下に向き、案内棒が外れる恐れがあり、縦方向の使用は困難である。
【００１２】
そこで、この発明は、動力によらず、縦方向の吊りボルトや水平な細径の横桟や枠体等を交わして通線又は配線が可能な通線用工具を提供することを目的としたものである。
【課題を解決するための手段】
【００１３】
請求項１の発明は、一枚の平板状の基板に相対向して２枚の着脱小板体が設けられ、当該着脱小板体はボギー構造によって支持され、当該ボギー構造支持体の中央箇所の支点に回転自在に支持した支持棒が設けられ、前記基板の裏面に線条体の一端を係止する係止具が設けられ、前記一方の着脱小板体が前記基板に付着した際は他方の着脱小板体は前記基板から離れるように支持され、前記一方の着脱小板体が前記基板に付着した時は、前記基板は当該一方の着脱小板体及び支持体によって支持されている通線用工具とした。
【００１４】
また、請求項２の発明は、前記基板と各着脱小板体との相対向する接触面には、雄雌の面ファスナーが設けられている、請求項１に記載の通線用工具とした。
【００１５】
また、請求項３の発明は、前記基板と各着脱小板体との相対向する接触面には、相互に吸引する磁石が設けられている、請求項１に記載の通線用工具とした。
【発明の効果】
【００１６】
請求項１の発明によれば、二つの着脱小板体のうちの一方が前記基板に付着している時は、当該通線工具の基板は一方が前記平板及び前記支持体によって支持されている。従って、当該通線用工具が吊りボルト等の径の小さな棒材にぶつかった場合でも、作業者の当該通線用工具を押す力で前記基板から一方の着脱小板体が剥がされ、これらの基板と着脱小板体の間を前記棒材がすり抜けることができる。また、他方の着脱小板体に棒材が当接した際は、同様に他方の着脱小板体が基板から剥がれ、当該基板と他方の着脱小板体の間を棒材は通り抜けることができる。
【００１７】
従って、作業者の通線用工具が前記棒材にぶつかった場合でも、別途操作することなく、容易に前記棒材を交わしながら通線又は配線することができる。
そして、これらの基板と一対の着脱小板体とが相互に上下の位置でも水平の位置でも付着状態が維持されるため、前記棒材が水平方向や垂直方向に位置しても、これらの棒材を交わしてケーブル等の通線又は配線をすることができる。
【００１８】
また、請求項２及び３の発明によれば、前記基板と各着脱小板体との相対向する接触面に面ファスナー又は磁石を設けているため、基板と着脱小板体との付着が確実であり、スムーズな作業が可能である。
【図面の簡単な説明】
【００１９】
【図１】この発明の実施の形態例１の通線用工具の平面図であり、通線用工具の基板と前方の着脱小板体との間を棒材が通過している状態を示す。
【図２】この発明の実施の形態例１の通線用工具の正面図である。
【図３】この発明の実施の形態例１の通線用工具の右側面図である。
【図４】この発明の実施の形態例１の通線用工具の平面図であり、通線用工具の前方と後方の着脱小板体との間を棒材が通過している状態を示す。
【図５】この発明の実施の形態例１の通線用工具の平面図であり、通線用工具の基板と後方の着脱小板体との間を棒材が通過している状態を示す。
【図６】この発明の実施の形態例１の通線用工具をケーブルラックへの配線作業に用いた例を示す斜視図である。
【図７】この発明の実施の形態例１の通線用工具をケーブルラックへの配線作業に用いた例を示す縦断面図である。
【図８】この発明の実施の形態例２の通線用工具の使用例を示す断面図である。
【図９】この発明の実施の形態例２の通線用工具の他の使用例を示す断面図である。
【発明を実施するための形態】
【００２０】
（実施の形態例１）
以下、この発明の実施の形態例１の通線用工具Ａを図に基づいて説明する。
【００２１】
図１〜３に示すように、当該通線用工具Ａは一枚の平板状の基板１に相対向して、当該基板１に着脱自在な２枚の着脱小板体２、２が設けられ、当該２枚の着脱小板体２はボギー構造によって支持されている。そして、一方の着脱小板体２が前記基板１に付着した際は他方の着脱小板体２は前記基板１から離れるように支持され、当該ボギー構造支持体３の中央支点に先端を回転自在に支持した支持棒４が設けられている。
【００２２】
また、前記基板１の裏側にはケーブル６の一端を係止する係止具７が設けられている。そして、当該実施の形態例１の通線用工具Ａは、図２及び３に示すように、上記支持棒４を縦にし、その先端にボギー構造支持体３に支持された２つの着脱小板体２と当該着脱小板体２の一方が付着した基板１が略水平に支持されている。
【００２３】
また、前記基板１と各着脱小板体２の接触面に面ファスナー８の雄、雌が設けられている。前記ボギー構造支持体３は両端に略直角に突出する腕３ｂを備えた杆体３ａとから成り、二つの各腕３ｂの先端に前記着脱小板体２を回転自在に軸支し、また、杆体３ａの中央支点箇所に前記支持棒４の一端面から突出する軸４ａが貫通し、支持棒４に対して、ボギー構造支持体３が回転自在に軸支されている。
【００２４】
そして、当該実施の形態例１の通線用工具Ａを用いて、天井から２本一対の
複数対の吊りボルト１２に支持されたダクター１３に載置固定されたケーブルラック１４の上にケーブル６を通線する通線作業について説明する。
【００２５】
まず、通線用工具Ａの係止具７にケーブル６の先端を取付ける。そして、作業者Ｂは支持棒４をもって、図６及び７に示すように、通線用工具Ａの基板１及び着脱小板体２、２をケーブルラック１４の上方に位置させてケーブルラック１４に沿って床上を移動する。その際、ケーブルラック１４の吊りボルト１２に前記基板１及び一方の着脱小板体２が当たる。
【００２６】
しかしながら、前記基板１と一方の着脱小板体２の間の面ファスナー８の付着力に抗してこれらの間に吊りボルト１２を押し入れて進んでいく。この状態を図１に示す。その際、ボギー構造支持体３のボギー構造により、ボギー構造支持体３は中央支点の軸４ａを中心に回転し、他方の着脱小板体２は基板１に押し付けられ、面ファスナー８の力で付着した状態となる。
【００２７】
そして、作業者Ｂが当該通線用工具Ａの支持棒４をさらに押すと、吊りボルト１２は、図４に示すように、二つの着脱小板体２の間に位置する。
【００２８】
また、さらに支持棒４をケーブルラック１４に沿って押すと、吊りボルト１２に基板１と他方の着脱小板体２とが当たるが、面ファスナー８の力に抗して、これらの間に吊りボルト１２を入れると、図５に示すように、ボギー構造支持体３は中央支点の軸４ａを中心に回転し、一方の着脱小板体２が基板１に押し付けられ、面ファスナー８の力で付着した状態となり、同時に、他方の着脱小板体２は基板１から離れる。
【００２９】
この様にして、当該通線用工具Ａは吊りボルト１２箇所を通過する。その際、常に一方又は他方の着脱小板体２が基板１に付着しているため、通線用工具Ａに取付けたケーブル６は当該通線用工具Ａに引っ張られてケーブルラック１４上に通線される。
【００３０】
（実施の形態例２）
次にこの発明の実施の形態例２の通線工具Ｃについて説明する。
【００３１】
この通線用工具Ｃでは、２枚の着脱小板体２、２を接続するボギー構造状支持体３の杆体３ａの中央支点箇所は支持棒４の一端側面から突出する軸４ｂに回転自在に軸支されている。従って、基板１及び２枚の着脱小板体２、２の下方に支持棒４が伸びた構成となっている。他の構成は実施の形態例１と同じである。
【００３２】
図８に示すような、天井１５の下に複数の横桟１６が間隔をあけて設けられており、これらの天井１５と複数の横桟１６との間にケーブル６を通す場合に当該通線用工具Ｃが使用できる。
【００３３】
この場合、作業者は支持棒４を持って横桟１６の下に行き、当該横桟１６に基板１と前方の着脱小板体２との間を押し付け、面ファスナー８の力に抗して基板１から前記着脱小板体２を剥がし、当該基板１と着脱小板体２の間を開けて横桟１６を通す。その際、ボギー構造支持体３により後方の着脱小板体２が基板１に付着しているため、基板１は保持されている。そして次に基板１から後方の着脱小板体２を剥がし、これらの間を開けて横桟１６を通すことができる。この様にして、当該通線用工具Ｃを用いることにより、作業者は床面に立って、下から天井１５とその下の横桟１６との間にケーブル６を配線することができる。
【００３４】
この通線用工具Ｃは、その他にも図９に示すように、下床１７の上に、複数の横桟１８が略水平に間隔をあけて設けられており、これらの下床１７と横桟１８との間にケーブル６を通す場合にも横桟１８の上から当該通線用工具Ｃを使用してケーブル６を通すことができる。
【００３５】
なお、上記実施の形態例１及び２では、基板１と各着脱小板体２との相対向する接触面には、雄雌の面ファスナーが設けられているが、これに限らず、他の付着手段、例えば、磁石や接着材を設けても良い。なた、この発明は上記ケーブルに限らず、ワイヤー、ロープ等の線条体を通線するために用いられる。
【符号の説明】
【００３６】
Ａ        通線用工具              Ｂ        作業者
Ｃ        通線用工具
１        基板                    ２        着脱小板体
３        ボギー構造支持体        ３ａ      杆体
３ｂ      腕                      ４        支持棒
４ａ      軸                      ４ｂ      軸                
６        ケーブル                ７        係止具                
８       面ファスナー
１２      吊りボルト              １３    ダクター
１４      ケーブルラック          １５    天井
１６      横桟                    １７    下床
１８      横桟                      
【図１】
2018102098.tif 000003
【図２】
2018102098.tif 000004
【図３】
2018102098.tif 000005
【図４】
2018102098.tif 000006
【図５】
2018102098.tif 000007
【図６】
2018102098.tif 000008
【図７】
2018102098.tif 000009
【図８】
2018102098.tif 000010
【図９】
2018102098.tif 000011